(57)【要約】      （修正有）【課題】ハガキに再剥離可能に適用できるステッカーを備えたポストカード、並びに、それが写真などのスタンドにも展開できるポストカードを提供する。【解決手段】大きくてもハガキ大に形成したシート材であって表面又は裏面に適宜印刷を施すか又は印刷を施さず、かつ、裏面に再剥離性接着剤層を形成したステッカー用シート材を、当該接着剤層において離型剤を表面に備えたステッカー用台紙上に貼設してポストカード用ステッカーＣＳを形成すると共に、小さくても前記ステッカーＣＳと略同大の透明シートＴＳであって一面を離型紙を備えてポストカード１１ｂへの貼着面にしたステッカー用貼着シートＴＳを形成し、前記ステッカーＣＳとその貼着シートＴＳを、ハガキ大に形成したポストカード用台紙１１に保持させたこと。【選択図】図１
0003150232.tif 000002
【実用新案登録請求の範囲】
【請求項１】
大きくてもハガキ大に形成したシート材であって表面又は裏面に適宜印刷を施すか又は印刷を施さず、かつ、裏面に再剥離性接着剤層を形成したステッカー用シート材を、当該接着剤層において離型剤を表面に備えたステッカー用台紙上に貼設してポストカード用ステッカーを形成すると共に、小さくても前記ステッカーと略同大の透明シートであって一面を離型紙を備えてポストカードへの貼着面にしたステッカー用貼着シートを形成し、前記ステッカーとその貼着シートを、ハガキ大に形成したポストカード用台紙に保持させたことを特徴とする再剥離可能なカード用ステッカーを備えたポストカード。
【請求項２】
請求項１のステッカー用貼着シートは、それに代え表面がエンボス面（又はナシ地面）の透明シートを使用すると共に、ポストカード用ステッカーは、そのシート材裏面の再剥離接着剤層に代えて強接着剤層に形成した請求項１のポストカード。
【請求項３】
ポストカード用台紙のポストカード用ステッカーとその貼着シートの取外し可能な保持形態は、当該カード用台紙から前記ステッカーを傷めることなく取外すことができる仮止め形態に形成した請求項１又は２のポストカード。
【請求項４】
仮止め形態は、ポストカード用台紙にポストカード用ステッカーとその貼着シートの隅部を挿入できる切込みを形成し、当該切込みに少なくとも前記ステッカーと貼着シートの隅部を挿込むか、又は、前記ステッカーの隅部を挿込み、当該ステッカーと前記台紙の間に貼着シートを挟持させて保持した請求項３のポストカード。
【請求項５】
仮止め形態は、ステッカー用台紙とその貼着シートの裏面に弱接着剤によるスポット状の粘着点を形成し、前記粘着点を利用してポストカード用ステッカーとその貼着シートをポストカード用台紙に仮止め接着により保持した請求項３のポストカード。
【請求項６】
ポストカード用台紙は、側面から見て縦長の略２等辺三角形状に組立てることができるように、表台紙と裏台紙及び表裏台紙の下部を連結する底辺台紙とを備え、当該底辺台紙は、表又は裏のいずれかの台紙に連続した請求項１〜５のいずれかのポストカード。
【請求項７】
ポストカード用台紙は、ハガキ大の少なくとも１枚の台紙で形成し、当該台紙の一面にポストカード用ステッカーとその貼着シートを取外し可能に保持させるか、別に添付し、その台紙の他面にハガキの印刷又は表示を形成した請求項１〜５のいずれかの再剥離可能なカード用ステッカーを備えたポストカード。
【請求項８】
ポストカード用ステッカーは、そのステッカー用シート材に、透光性又は不透光性のシート材を用いると共にその一部をツマミ状に突出形成し、かつ、ツマミ状に突出部を除いて再剥離接着剤層を形成した請求項１〜７のいずれかのポストカード。
【請求項９】
ポストカード用ステッカーは、印刷が施されたステッカー用シート材の上面に、当該シート材と同大に形成すると共に一部をツマミ状に突出形成し、かつ、ツマミ状突出部を除いて接着剤層を形成した透光性シート材を接着した請求項１〜７のいずれかのポストカード。
【請求項１０】
ポストカード用ステッカーは、ツマミ状突出部を除いて接着剤層を裏面に形成した透光性シート材を、印刷層を有するステッカー用シート材の印刷層の面に接着し、その透光性シート材のツマミ状突出部を含み当該透明シート材とその下面の印刷層を有するステッカー用シート材を通してプレスによる切抜き線を設けた請求項１〜７のいずれかのポストカード。
【請求項１１】
ポストカード用ステッカーは、そのステッカー用シート材に、既発行カードの記録事項とは異なる事項を磁気データ又は光学データにより記録した記録媒体を、積層して設けるか、又は、貼着して設けた請求項１〜10のいずれかのポストカード。
【請求項１２】
記録媒体は、ポストカード用ステッカーと同じ層構成に形成した記録シート材である請求項11のポストカード。
【考案の詳細な説明】
【技術分野】
【０００１】
本考案は、ポストカードなどの表面に再剥離可能に貼着してそのカードに表示した内容を隠蔽したり、そのカードの表面を装飾したり保護することができる再剥離可能なステッカーを備えたポストカードに関するものである。本考案はさらに展開してポストカード（ハガキ）のみならず、前記ステッカーや別の写真などの展示用乃至掲示用のスタンドとしても使用できるようにした再剥離可能なステッカーを備えたポストカードに関する。
【背景技術】
【０００２】
現在の一般的な生活においては、様々な情報が表示されたり、内蔵された数多くの種類のＩＣカードを含むカード乃至はカードに類するものが、小学生から高齢者まできわめて広範な分野において利用されている。なお、前記「カード」には、例えば交通機関が発行するカード型定期券、プリペイド型カード、チャージ型カード（ＩＣカードを含む）など、金融機関が発行するキャッシュカードやクレジットカードなど、デパート，スーパー，コンビニ，商店街などの商業施設や小売業者、或は、それらの団体などが発行する会員カードやポイントカードなどを始めとし、学生証などを含む身分証明カードや診察カード、或は、運転免許証や「タスポ」（成人識別ＩＣカード）、ホテルや住居などにおけるカードキーなど、およそカード状に形成されたすべてのカードが含まれる。
【０００３】
上記の様々なカードは、日頃からパスケースや財布などに入れて常時携行し、必要な場所で取出して使用するが、使用の際などにそのカードに固有の表示内容が盗み視られたりして安全上好ましくないという問題がある。一方、上記のようなカードは、パスケースや財布などに入れたり、或は、カードのままで常時持ち歩いていること、並びに、適宜タイミングにおいて機械（カードリーダやカードライタ）に通すことがあるため、表面が摩耗して表示が汚損してしまい、使用に支障を来たすのみならず、見栄えも好ましくないことも多い。
【０００４】
本考案の考案者らは、上記のような各種カードの問題点に鑑み、先にカードの表面にステッカーのようなシート材を再剥離可能に貼着することにより、盗み視などによる安全上の問題を回避できると共にカード表面の摩耗を防ぐのみならず、そのカードを当該カードの元の意匠とは別の意匠に見せることができるカード用ステッカーを、実用新案登録第3139039号、実願2007-8735号（特許文献１，２参照）などとして提案している。
【０００５】
先に提案したカード用ステッカーは、ＩＣカードなどに表示された個人データの盗み視を防ぐことができる表示の隠蔽性があり、しかも、カード表面の擦れによる損耗を防ぐことができるカードの機械的防護機能がある一方、そのステッカーに、任意の、或は、好みの写真やイラストなどのデザインを施すことができるので、既存カードの外見を、それとは異なる外観，意匠に形成することができるというステッカー自体の高い意匠性を特長として備えたものでる。
【０００６】
上記の特長を備えた再剥離性のカード用ステッカーは、ＩＣカードなどのカードに表示された個人情報に対する隠蔽性やカード自体の損傷を防護する防護性のほかに、ステッカーの大きさを整えてカード以外の例えばハガキ（ポストカード）などに表現された情報の隠蔽や防護に利用し、また、ステッカーに表現される意匠も優れた表現や個性豊かな表現など従来品にない趣味性や装飾性の高い意匠を表現したステッカーに形成できるという、ハード面とソフト面の両面における特長の活用が期待されるとことである。
【先行技術文献】
【特許文献】
【０００７】
【特許文献１】実用新案登録第３１３９０３９号公報
【特許文献２】実願２００７−８７３５号公報
【考案の概要】
【考案が解決しようとする課題】
【０００８】
そこで本考案の考案者は、先に提案されている上記カード用ステッカーが再剥離自在であること、並びに、当該ステッカーにおける隠蔽機能と高い趣味性や装飾性の高いデザイン（意匠）が可能であることなどに着目し、提案しているステッカーの再剥離性、貼付したときの隠蔽性と良好なデザイン性を活用することができるようにして、ハガキにも再剥離可能に適用できるステッカーを備えたポストカード、並びに、それが写真などのスタンドにも展開できるポストカードを提供することを課題として、本考案を完成した。
【課題を解決するための手段】
【０００９】
上記課題を解決することを目的としてなされた本考案の再剥離可能なステッカーを備えたポストカードの構成は、大きくてもハガキ大に形成したシート材であって表面又は裏面に適宜印刷を施すか又は印刷を施さず、かつ、裏面に再剥離性接着剤層を形成したステッカー用シート材を、当該接着剤層において離型剤を表面に備えたステッカー用台紙上に貼設してポストカード用ステッカーを形成すると共に、小さくても前記ステッカーと略同大の透明シートであって一面を離型紙を備えてポストカードへの貼着面にしたステッカー用貼着シートを形成し、前記ステッカーとその貼着シートを、ハガキ大に形成したポストカード用台紙に保持させたことを特徴とするものである。
【００１０】
本考案におけるポストカード用ステッカーは、ハガキの大きさよりも小さく形成することもでき、また、その形状も四角形以外の多角形や円形、或は、ハート形や星形などに形成することができる。また、本考案では、透明なステッカー用貼着シートの表面がナシ地面（又はエンボス面）である場合、前記ステッカー用シート材の裏面に形成した再剥離性接着剤層は、当該接着層に代えて強接着性の接着剤層に形成することができる。貼着シートのエンボス面により強接着剤も再剥離可能になるからである。
【００１１】
上記の本考案ポストカードにおいて、ポストカード用台紙に仮保持されるポストカード用ステッカーとその貼着シートの仮の保持形態は、当該カード用台紙からカード用ステッカーとその貼着シートを傷めることなく取外すことが可能な仮止め保持形態である。
【００１２】
また、本考案ポストカードの仮止め保持形態では、ポストカード用台紙の適宜部位にポストカード用ステッカーの隅部を挿入できる切込みを形成し、当該切込みにポストカード用ステッカーとその貼着シートの隅部を挿込んで保持する形態、又は、ステッカー用台紙の裏面と貼着シートの裏面の離型紙の上に弱接着剤によるスポット状の粘着点を形成し、両者の当該粘着点を利用して、前記ステッカーとその貼着シートを、一体に仮止めして、或は、別個に、ポストカード用台紙に仮止め接着して保持する。
【００１３】
次に、前記ポストカード用台紙は、側面から見て縦長の略２等辺三角形状に組立てることができるように、表台紙と裏台紙及び表裏台紙の下部を連結する底辺台紙とを備え、当該底辺台紙は、表又は裏のいずれかの台紙に連続した形態とすることができる。一方、ポストカード用台紙を、ハガキ大の少なくとも１枚の台紙で形成し、当該台紙に、ポストカード用ステッカーとその貼着シートを別に添付するか、又は、前述した態様で仮止め保持させ、その台紙の他面にハガキ用の印刷又は表示を形成した形態を採ることもできる。
【００１４】
ここで、本考案ポストカードに用いるポストカード用ステッカーは、そのステッカー用シート材に、透光性又は不透光性のシート材を用いると共にその一部をツマミ状に突出形成し、かつ、ツマミ状に突出部を除いて再剥離接着剤層を形成したものがこの好ましい。また、印刷が施されたステッカー用シート材の上面に、当該シート材と同大に形成すると共に一部をツマミ状に突出形成し、かつ、ツマミ状突出部を除いて接着剤層を形成した透光性シート材を接着したものであってもよい。
【００１５】
さらには、ツマミ状突出部を有する透光性シート材が貼着された印刷層を有するステッカー用シート材は、ツマミ状突出部を除いて接着剤層を裏面に形成した透光性シート材を、印刷層を有するステッカー用シート材の印刷層の面に接着し、その透光性シート材のツマミ状突出部を含み当該透光性シート材とその下面の印刷層を有するステッカー用シート材を通してプレスによる切抜き線を設けて形成することが望ましい。
【００１６】
加えて、本考案のポストカード用ステッカーは、そのステッカー用シート材に、既発行カードの記録事項とは異なる事項を磁気データ又は光学データにより記録した記録媒体を、積層して設けるか、又は、貼着して設けた形態を採ることもできる。このとき用いる記録媒体としては、カード用ステッカーと同じ層構成に形成したものであってもよい。
【考案の効果】
【００１７】
本考案では、一例として、大きくてもハガキ大に形成したシート材であって表面又は裏面に適宜印刷を施すか又は印刷を施さず、かつ、裏面に再剥離性接着剤層を形成したステッカー用シート材を、当該接着剤層において離型剤を表面に備えたステッカー用台紙上に貼設してポストカード用ステッカーを形成すると共に、小さくても前記ステッカーと略同大の透明シートであって一面を離型紙を備えてポストカードへの貼着面にしたステッカー用貼着シートを形成し、前記ステッカーとその貼着シートを、ハガキ大に形成したポストカード用台紙に保持させて再剥離可能なポストカード用ステッカーを備えたポストカードを形成したので、ハガキ大のポストカードの裏面に、通信文を書いて当該ポストカードに仮止め添付されている再剥離可能なポストカード用ステッカーと透明な貼着シートを外し前記通信文の上に貼着シートを貼着し、そのシートの上に当該ステッカーを貼着すれば、通信文がこのステッカーによって隠蔽されるので、通信の秘密が守られる。
【００１８】
また、通信文の上に貼った透明な貼着シートを介して貼着したポストカード用ステッカーは再剥離可能であるから下の通信文面を傷めることなく容易に剥がすことができ、また、剥がしたポストカード用ステッカーが、既存のＩＣカード等と同大であれば、そのステッカーを他のＩＣカードなどのカードに貼着して利用することができる。さらに、このポストカード用ステッカーを剥がすとき、そのステッカーに設けられたツマミを利用することにより、貼着面からの剥離を容易かつ迅速に行うことができる。
【００１９】
一方、ポスト用カードの通信文面に貼られたカード用ステッカーを剥がして通信文を読んだ後、再びカード用ステッカーを通信文面に貼って、デスクの上などに置けば、ポストカード用ステッカーに表示された写真，絵，イラストなどの装飾的表示を、デスク上のアクセントなどとして利用することができる。この点は、ポストカード用台紙がスタンド構造を備えているものである場合には、他の写真やイラストカードなどの展示用スタンドとしても利用できる。
【図面の簡単な説明】
【００２０】
【図１】本考案ポストカードの一例を展示状態に組立てた斜視図。
【図２】図１のポストカードのイ−イ線縦断面図。
【図３】図１の本考案ポストカード用台紙を写真立てに利用した状態の側面図。
【図４】本考案ポストカードの別例の使用状態の平面図。
【図５】本考案に用いるポストカード用ステッカーを例示した平面図。
【図６】図５のＡ−Ａ線矢視断面拡大図。
【図７】図５のＢ−Ｂ線矢視断面拡大図。
【図８】本考案に用いるポストカード用ステッカーの別例の中央横断面拡大図。
【図９】本考案ポストカード用ステッカーの他の例の中央横断面拡大図。
【考案を実施するための形態】
【００２１】
図１〜図３において、11は、本考案ポストカードにおいて、後述するポストカード用ステッカーＣＳを取外し可能に保持させたポストカード用台紙で、ここではほぼハガキ大の長方形の用紙による表台紙11a、同じ大きさの裏台紙11b、水平な底辺台紙11cを備えており、表台紙11aと底辺台紙11cとは、プレスによる折曲げ線11d介して連続し、裏台紙11bと表台紙11aとは、ミシン目などによる切取線11eを介して連続するように形成されている。
【００２２】
図１の台紙11は、スタンド型に組立て展開した斜視図であるが、商品として製造され、搬送，保管などの状況では、各折曲げ線11d，切取り線11eにより、各台紙11a〜11cを積層状態に折畳み、例えば、パラフィン紙などの透明な袋体に収納して、嵩張ることがない形態で保管などされるものとする。
【００２３】
上記のポストカード台紙11には、後述するポストカード用ステッカーＣＳとその貼着用の透明な貼着シートＴＳを取外し可能に仮に保持できる機能が付与されている。すなわち、表台紙11aの下部側の左右には大略弯曲したＬ状をなす左右対称な切込み線12，13が形成されており、切込み線12，13の斜辺に、前記ステッカーＣＳと貼着シートＴＳの下部の左右の隅部が挿込まれることにより、当該ステッカーＣＳと貼着シートＴＳが表台紙11aの表面に仮止め状態、つまり取外し可能に保持される。また、本考案では、図示しないが、底辺台紙11cを裏台紙11bと連続するように形成し、この台紙11cに、切込み線12，13を設け、当該台紙11cを表台紙11aの側に起立させて、前記切込み線12，13にステッカーＣＳを保持させる形態とすることもできる。
【００２４】
カード用ステッカーＣＳと貼着シートＴＳの台紙11aに対する仮止め状態は、上記のような切込み線12，13への挿入保持のほか、少なくとも当該ステッカーＣＳの裏面の、又は、そのステッカーＣＳと貼着シートＴＳの双方の裏面、例えば、上下部の２箇所、或は、３箇所程度に、弱接着剤によるスポット状粘着点（図示せず）を形成し、この粘着点においてこのカード用ステッカーＣＳと貼着シートＴＳを前記台紙11aに仮止めして保持させることができる。
【００２５】
なお、図１〜図３において、14は写真ＰＨ等を表台紙11aを写真ＰＨ等のスタンドＳＤに形成し、そのスタンドＳＤに立てかけたときそれを下から支持する支持舌片である。図では１個であるが、２個以上乃至は横長のものであってもよい。また、図１〜図３に例示したスタンドＳＤは、裏台紙11bをハガキとして使用するため、切取り線11eから切り離し、切込み線12，13が囲んだ部位が形成する翼片15，16を台紙11aの裏面側へ略90度折曲げ、表台紙11aの支持舌片14を手前側へ引き出すことにより形成したが、スタンドＳＤの形態はこれに限られるものではない。
【００２６】
本考案におけるポストカード用ステッカーＣＳとその貼着シートＴＳの台紙11に対する仮止め保持状態は、上記の仮止め例に限られるものではない。例えば、切込み線12，13を、このステッカーＣＳの対角線上に形成してもよい。また、カード用ステッカーＣＳと貼着シートＴＳを仮止めする表，裏の台紙11a，11bは、いずれの側の台紙であってもよい。両方の台紙11a，11bに仮止め保持させる形態もあり得る。さらに、ポストカード（以下、ハガキともいう）として利用する台紙は、図１〜図３の例では、裏台紙11bとしたが、両方の台紙11a，11b、又は、表台紙11aをハガキとして利用できるようにポストカード用台紙11を形成することもできる。
【００２７】
一般に紙製のハガキは、図示しないが、表側に郵便番号欄や切手貼付欄が印刷などにより形成され、裏側が通信文の記載欄（空欄）に形成されている。図に例示した本考案ポストカードでは、ハガキに使用する裏台紙11bのどちらの面を通信文の記載欄にするかは、任意である。ただし、記載した通信文の上にカード用ステッカーＣＳを再剥離可能に貼付するには、通信文の欄の表面に筆記具（ボールペン，サインペン等）による文章などの筆記をした後、その面に貼着シートＴＳを貼付することにより、当該ステッカーＣＳの後述する再剥離性接着剤層５を接着保持する機能を果させる。ここで、貼着シートＴＳは図示しないが、表面が平滑な透明シートであって、裏面にハガキ面への接着をするための接着剤層が形成され、かつ、当該接着剤層が離型紙により全面カバーされた層構造を備えたものである。
【００２８】
本考案では、貼着シートＴＳに、表面側がナシ地又はエンボス地の透明シートを、上記例の貼着シートＴＳに代えて用いることがある。このエンボス地の透明シートによる貼着シートは、その裏面の接着剤と離型紙の層構成は先の例と同じであるが、表面がエンボス地であるゆえに、再剥離性の接着剤は着き難い（すぐ剥れる）か、貼着しない。そこで本考案でエンボス地の貼着シートを用いるときには、ポストカード用ステッカーは、その再剥離性接着剤に代えて強接着剤を用いたポストカード用ステッカーを使用する。強接着剤であるとエンボス面に再剥離可能に接着できるからである。
【００２９】
次に、本考案では、上記で説明したポストカード用台紙11を、図４に例示するように、１枚のハガキ大の用紙で形成することができる。従って、図４の台紙11は、そのままハガキとして利用できる。また、図４の例では、ポストカード用ステッカーＣＳが星形とハート形に形成され、このステッカーＣＳでハガキの通信欄11dに書いたり（描いた）情報Inを隠蔽するため、貼着シートＴＳも前記の星形，ハート形のステッカーＣＳより一回り大きい星形，ハート形に形成されている。なお、図４の例のステッカーＣＳ，貼着シートＴＳの層構造は、図１〜図３により説明した上記のステッカーＣＳ，貼着シートＴＳと同様の形態とできることは勿論である。また、貼着シートＴＳは透明であるから、星形，ハート形などのポストカード用ステッカーＣＳの平面形状と異なる形状、例えば、円形や四角形であってもよい。
【００３０】
次に、本考案ポストカードに用いられるポストカード用ステッカーＣＳの例について、図５〜図７を参照して説明する。
【００３１】
図５〜図７において、１は、上面に離型剤層２に形成したポストカードステッカー用台紙、３は上面（表面）に印刷層４を形成すると共に下面（裏面）に再剥離タイプの接着剤層５を形成したステッカー用シート材、６は前記ステッカー用シート材３の上面（表面）に接着剤層７を介して積層接着した透光性シート材の一例としての透明なオーバーシート材である。なお、4a，4bは印刷層４の絵柄，文字などである。
【００３２】
図５〜図７において、ポストカードステッカー用台紙１，ステッカー用シート材３，透明なオーバーシート材６は同一大きさに形成されている。しかも、図５の平面視、図６，図７の断面拡大視で判るとおり、透明なオーバーシート材６の一部（図５の下端辺と、図７の断面で表わされていない符号７参照）には接着剤層７が設けられていない。
【００３３】
図５に示すように、接着剤層７が設けられない部位８には、切抜き線９によって外側に突出（図５では下方に突出）した平面形状のツマミ部10が形成されている。
【００３４】
図５の例では、切抜き線９が、ポストカードステッカー用台紙１，ステッカー用シート材３，透明なオーバーシート材６より一回り小さ目に形成されていると共に、先にも述べたように、下方にツマミ10となる突出部位（切抜き線９の全体が描く四角形状よりも外側＜図５の下側＞に突出している）が形成され、本考案に用いるポストカード用ステッカーＣＳの一例が形成される。
【００３５】
上記ステッカーＣＳでは、ツマミ10の部分は裏面に接着剤層７が無いので、ステッカー用シート材３から浮いており、従って、そのツマミ10を摘まんで透明なオーバーシート材６を持上げるようにすると、当該シート６とステッカー用シート材３は、他の部位（残りの全面）で一層になったように固着しているため、ステッカー用シート材３が透明なオーバーシート材６と一緒に台紙１から切抜き線９に沿って剥離される。
【００３６】
そこで、剥離したステッカー用シート材３（上面に透明なオーバーシート材６を一体に備え、下面（裏面）に再剥離性の接着剤層５を備えている）を適宜カードの上面又は裏面に前記接着剤層５において貼着することにより、本考案ポストカード用ステッカーＣＳによってポストカードの文章欄（裏台紙11bに形成）の記載や各種のカード表面に表示された個人情報を始めとする種々の情報の視覚的保護、或は、カード表面の摩耗に対する保護層としての機能を果すことになる。
【００３７】
上記のように、ポストカードの文章面に貼着されるポストカード用ステッカーＣＳは、その接着剤層５が再剥離可能な接着剤で形成されているから、その貼着はいつでも自由に剥がすことができ、また、前記接着剤層５がハガキの文章面側に残ることはない。さらに、その剥離はツマミ10を摘まんで容易に行うことができるから、ステッカーの貼り替えも容易に行うことができる。なお、本考案で用いる透光性のシート材としては、上記の透明なオーバーシート材６のほか、着色透光性シート材、フォログラムやレイボー模様を施した透光性のシート材を用いることができる。
【００３８】
上述のポストカード用ステッカーＣＳは、ハガキの文章を記載した面を隠蔽することができるほか、ＩＣカードを始めとする様々なカードに再剥離可能に貼着できることにより、当該カードの表面に表示された内容に対する隠蔽性と防護性を発揮させることができる。本考案に用いるポストカード用ステッカーＣＳでは、その作用，機能をさらに拡大，拡張することを企図したので、この点について以下に説明する。
【００３９】
図５〜図７において、17は、ステッカー用シート材３の内部、又は、当該シート材３と印刷層４の間、若しくは、当該シート材３と接着剤層５の間に埋設して（積層して）設けた、図４〜図６の例では、一例として10mm角前後の平面大きさに形成されたＩＣチップである。このＩＣチップ17の大きさは、前記例に限られるものではなく、任意の大きさを選択できる。
【００４０】
ＩＣチップ17には、上記のポストカード用ステッカーＣＳが透明な貼着シートＴＳでカバーされたハガキの文章面から剥がされて適宜のカード表面に貼着されたとき、そのカード、例えばＩＣカードに記録されていない事項、一例として当該カード所有者に付与する個人コード（個別番号や各個人の判別コードなど）と当該個人コードに紐付けされた様々な商店（本明細書においてこの「商店」の語は、一切の商品又はサービスを提供するあらゆる店舗や施設が含まれる概念として用いる）のコードとが記録されているものとする。
【００４１】
そうすると、もとのＩＣカードとこのカードに貼着したこのポストカード用ステッカーＣＳによって、当該ＩＣカードはそれに付与された当該ＩＣカード本来の作用，機能に付加して、貼着されたカード用ステッカーに設けた記録媒体に記録された新たな情報に基づく作用，機能が、拡張，拡大した態様で加わることになる。
【００４２】
例えば、上記ＩＣチップ17に記録して受発信できる情報の例としては、本人や商店の電話番号，メールアドレス，ＵＲＬ，会員番号，道路地図，時刻表など様々な情報がある。
【００４３】
また、ＩＣチップ17ほどの記録容量はないが、磁気テープや磁気チップなどの記録媒体を上記ＩＣチップ17と同様の態様で設けることができる。さらに、ステッカー用シート材３や印刷層４の全部又は一部が光透過性であれば、肉眼で可視又は不可視のバーコードや２次元コード（ＱＲコード、登録商標）などの光学コードを記録（印刷）した記録媒体を、シート材３や印刷層４の内部や境界、或は、表面に設けることができる。前記コードの記録は、前記シート材３や印刷層４に、直接記録（例えば印刷）することもできる。
【００４４】
本考案において、上記の光学コードを記録した記録媒体をシート材で形成する場合には、先に図４〜図６に基づいて説明したポストカード用ステッカーと同じ層構成での記録シート材に形成し、当該シート材の印刷層４に適宜内容を示す光学コードを印刷した記録シート材を、カード用ステッカーの印刷層４の上面に貼着するように構成してもよい。
こうするとＩＣカードに記録された事項に加え、上記のポストカード用ステッカーＣＳに設けた記録シート材に記録された事項を、当該ＩＣカードが併有することとなるので、このＩＣカードを有する者について、前記ポストカード用ステッカーＣＳに設けた記録シート材に記録された事項についての情報の利用をすることができることとなる。
【００４５】
なお、上記のポストカード用ステッカーＣＳに設けた記録媒体に記録された事項（コード内容）の利用態様としては、商店での買物における当該商店が給付する買物ポイントの加算データや来店履歴のデータの形成，図書館や病室などの特定施設への出入りに関する入退室管理、投薬履歴や貸出し履歴などのデータの形成、社会的資格（例えば、会員，社員，学生などの資格を示すデータによる）の認定などがある。
【００４６】
以上に説明した記録媒体を備えたポストカード用ステッカーＣＳは、ツマミ10を備えないタイプのものでも、上記例と同等の機能を有する。即ち、図８はツマミ10を有しない本考案のポストカード用ステッカーＣＳの一例で、図８に示したポストカード用ステッカーは、図５〜図７で例示したカード用ステッカーＣＳとツマミ10を具備しない点のみが異なり、他の構成は図５〜図７の例と同じである。従って、図８の符号は、ＩＣチップ17などの記録媒体を含み図５〜図７と同一部材，同一部位には、同一符号を付けてある。
【００４７】
本考案で使用できるポストカード用ステッカーＣＳは、図９に例示するように、上記例におけるステッカー用シート材３と透光性のオーバーシート材６とを、一枚のシート材61により兼用させた形態とすることもできる。即ち、図９において、表面又は裏面に印刷層４を設けたシート材61の裏面に再剥離性の接着層５を設け、当該シート材61を、離型剤層２を有する台紙１に接着剤層５において貼着したタイプである。なお、図９の例においても、ＩＣチップ17などの記録媒体をシート61の内部、又は、印刷層４との境界、或は、シート材61の外面側に設けることができる。
【００４８】
ここで、シート材61が透光性であれば、印刷層４は、シート材61の表，裏いずれの面に設けてもよいが、不透光性シート材の場合には表面側に印刷層４を形成する。また、シート材61の外形は、当該シート材61を貼着するカードと略同等外形であるが、その外形の一部をツマミ状に突出形成してツマミ10を形成するかどうかは、任意である。
【００４９】
記録媒体を設けたポストカード用ステッカーＣＳは、上記態様に加え透明シート６の側に突出する凸印刷加工により、例えば、点字表示を加えることができる。さらに、このカード用ステッカーは、容易にカードから剥離できるので、カードを機械に通す必要がある場合などには、剥がしてすぐに通すことができる。
【産業上の利用可能性】
【００５０】
本考案は以上の通りであって、大きくてもハガキ大に形成したシート材であって表面又は裏面に適宜印刷を施すか又は印刷を施さず、かつ、裏面に再剥離性接着剤層を形成したステッカー用シート材を、当該接着剤層において離型剤を表面に備えたステッカー用台紙上に貼設してポストカード用ステッカーを形成すると共に、小さくても前記ステッカーと略同大の透明シートであって一面を離型紙を備えてポストカードへの貼着面にしたステッカー用貼着シートを形成し、前記ステッカーとその貼着シートを、ハガキ大に形成したポストカード用台紙に保持させて再剥離可能なカード用ステッカーを備えたポストカードを形成したので、次の独自の効果を奏する。
【００５１】
即ち、ハガキ大のポストカードの裏面に、通信文を書いて当該ポストカードが備えている再剥離可能なカード用ステッカーを外して前記通信文の上に透明な貼着シートを介して当該ステッカーを貼着すれば、通信文がこのステッカーによって隠蔽されるので、通信の秘密が守られる。
【００５２】
また、ハガキの通信文の上に貼られたポストカード用ステッカーは透明な貼着シートを介して貼付されているので再剥離可能であり、従って、このハガキを受取った人は下の通信文面を傷めることなく容易に剥がすことができ、剥がしたポストカード用ステッカーが再剥離性の接着層を備えたものでは、そのステッカーを自分のＩＣカードなどのカードに貼着して利用することができる。さらに、このポストカード用ステッカーを剥がすとき、そのステッカーに設けられたツマミを利用することにより、貼着面からの剥離を容易かつ迅速に行うことができる。
【００５３】
さらに、ポストカード用台紙がスタンド型である場合には、ハガキを使用した後でも写真などの展示スタンドとしても利用することができる。また、このスタンドに本考案ポストカード用ステッカーを装飾体として貼着し展示することもできる。
【符号の説明】
【００５４】
11        本考案ポストカード用台紙
11a       表台紙
11b       裏台紙（ポストカード）
11c       底辺台紙
12，13    切込み線
14        支持舌片
15，16    翼片
17        ＩＣチップ（記録媒体）
１        ポストカードステッカー用台紙
２        離型剤層
３        ステッカー用シート材
４        印刷層
５        再剥離性の接着剤層
６        透光性オーバーシート材
７        接着剤層
８        接着剤層７が設けられない部位
９        切抜き線
10        ツマミ部
【図１】
0003150232.tif 000003
【図２】
0003150232.tif 000004
【図３】
0003150232.tif 000005
【図４】
0003150232.tif 000006
【図５】
0003150232.tif 000007
【図６】
0003150232.tif 000008
【図７】
0003150232.tif 000009
【図８】
0003150232.tif 000010
【図９】
0003150232.tif 000011
【手続補正書】
【提出日】平成21年2月26日(2009.2.26)
【手続補正１】
【補正対象書類名】明細書
【補正対象項目名】０００２
【補正方法】変更
【補正の内容】
【０００２】
現在の一般的な生活においては、様々な情報が表示されたり、内蔵された数多くの種類のＩＣカードを含むカード乃至はカードに類するものが、小学生から高齢者まできわめて広範な分野において利用されている。なお、前記「カード」には、例えば交通機関が発行するカード型定期券、プリペイド型カード、チャージ型カード（ＩＣカードを含む）など、金融機関が発行するキャッシュカードやクレジットカードなど、デパート，スーパー，コンビニ，商店街などの商業施設や小売業者、或は、それらの団体などが発行する会員カードやポイントカードなどを始めとし、学生証などを含む身分証明カードや診察カード、或は、運転免許証や「タスポ（登録商標）」（成人識別ＩＣカード）、ホテルや住居などにおけるカードキーなど、およそカード状に形成されたすべてのカードが含まれる。
【手続補正２】
【補正対象書類名】実用新案登録請求の範囲
【補正対象項目名】全文
【補正方法】変更
【補正の内容】
【実用新案登録請求の範囲】
【請求項１】
大きくてもハガキ大に形成したシート材であって表面又は裏面に適宜印刷を施すか又は印刷を施さず、かつ、裏面に再剥離性接着剤層を形成したステッカー用シート材を、当該接着剤層において離型剤を表面に備えたステッカー用台紙上に貼設してポストカード用ステッカーを形成すると共に、小さくても前記ステッカーと略同大の透明シートであって一面を離型紙を備えてポストカードへの貼着面にしたステッカー用貼着シートを形成し、前記ステッカーとその貼着シートを、ハガキ大に形成したポストカード用台紙に保持させたことを特徴とする再剥離可能なカード用ステッカーを備えたポストカード。
【請求項２】
ステッカー用貼着シートは、それに代え表面がエンボス面又はナシ地面の透明シートを使用すると共に、ポストカード用ステッカーは、そのシート材裏面の再剥離接着剤層に代えて強接着剤層に形成した請求項１のポストカード。
【請求項３】
ポストカード用台紙のポストカード用ステッカーとその貼着シートの取外し可能な保持形態は、当該カード用台紙から前記ステッカーを傷めることなく取外すことができる仮止め形態に形成した請求項１又は２のポストカード。
【請求項４】
仮止め形態は、ポストカード用台紙にポストカード用ステッカーとその貼着シートの隅部を挿入できる切込みを形成し、当該切込みに少なくとも前記ステッカーと貼着シートの隅部を挿込むか、又は、前記ステッカーの隅部を挿込み、当該ステッカーと前記台紙の間に貼着シートを挟持させて保持した請求項３のポストカード。
【請求項５】
仮止め形態は、ステッカー用台紙とその貼着シートの裏面に弱接着剤によるスポット状の粘着点を形成し、前記粘着点を利用してポストカード用ステッカーとその貼着シートをポストカード用台紙に仮止め接着により保持した請求項３のポストカード。
【請求項６】
ポストカード用台紙は、側面から見て縦長の略２等辺三角形状に組立てることができるように、表台紙と裏台紙及び表裏台紙の下部を連結する底辺台紙とを備え、当該底辺台紙は、表又は裏のいずれかの台紙に連続した請求項１〜５のいずれかのポストカード。
【請求項７】
ポストカード用台紙は、ハガキ大の少なくとも１枚の台紙で形成し、当該台紙の一面にポストカード用ステッカーとその貼着シートを取外し可能に保持させるか、別に添付し、その台紙の他面にハガキの印刷又は表示を形成した請求項１〜５のいずれかの再剥離可能なカード用ステッカーを備えたポストカード。
【請求項８】
ポストカード用ステッカーは、そのステッカー用シート材に、透光性又は不透光性のシート材を用いると共にその一部をツマミ状に突出形成し、かつ、ツマミ状に突出部を除いて再剥離接着剤層を形成した請求項１〜７のいずれかのポストカード。
【請求項９】
ポストカード用ステッカーは、印刷が施されたステッカー用シート材の上面に、当該シート材と同大に形成すると共に一部をツマミ状に突出形成し、かつ、ツマミ状突出部を除いて接着剤層を形成した透光性シート材を接着した請求項１〜７のいずれかのポストカード。
【請求項１０】
ポストカード用ステッカーは、ツマミ状突出部を除いて接着剤層を裏面に形成した透光性シート材を、印刷層を有するステッカー用シート材の印刷層の面に接着し、その透光性シート材のツマミ状突出部を含み当該透明シート材とその下面の印刷層を有するステッカー用シート材を通してプレスによる切抜き線を設けた請求項１〜７のいずれかのポストカード。
【請求項１１】
ポストカード用ステッカーは、そのステッカー用シート材に、既発行カードの記録事項とは異なる事項を磁気データ又は光学データにより記録した記録媒体を、積層して設けるか、又は、貼着して設けた請求項１〜10のいずれかのポストカード。
【請求項１２】
記録媒体は、ポストカード用ステッカーと同じ層構成に形成した記録シート材である請求項11のポストカード。